(57)【特許請求の範囲】
【請求項１】
本体（１ａ）と上蓋（１ｂ）の側面との間に隙間を有する変圧器に直接取り付けるための変圧器用鳥害防止具（１０；１０’）であって、
軸部材（１３）と、
該軸部材の上端部に取り付けられた、かつ、鳥が前記変圧器に営巣することを防止するための鳥害防止部（１２）と、
円環状の軸受部材（１４ａ）および３本の板状の脚部材（１４ｂ；１４ｂ’）を備える取付部（１４；１４’）と、
ナット（１５）とを具備し、
前記軸部材が、前記取付部の前記軸受部材を貫通しており、
前記軸部材の中央部の外周面に、前記ナットと螺合するネジ山が形成されており、
前記軸部材の前記軸受部材よりも下に、前記ナットが前記ネジ山に螺合されて取り付けられており、
前記軸受部材の外周面に、前記３本の脚部材の一端が該軸受部材の周方向に沿って等間隔に固定されており、
前記３本の脚部材の他端部が、前記変圧器の前記隙間に下から挿入して前記上蓋の側面に引っ掛けることができるように、フック状にされている、
ことを特徴とする、変圧器用鳥害防止具。
【請求項２】
前記軸部材の下端面と前記上蓋との間に挿入されるクッション板（１６）をさらに具備することを特徴とする、請求項１記載の変圧器用鳥害防止具。
【請求項３】
前記軸部材の長さが、前記３本の脚部材を前記上蓋の側面に引っ掛けたときに該軸部材の下端面が該３本の脚部材の下端面よりも上に位置する長さとされていることを特徴とする、請求項１または２記載の変圧器用鳥害防止具。
【請求項４】
前記軸部材の前記ネジ山が形成されている範囲が、前記上蓋の径に応じて前記ナットの固定位置を変えることにより前記変圧器用鳥害防止具を種々の変圧器に取り付けることができる範囲とされていることを特徴とする、請求項１乃至３いずれかに記載の変圧器用鳥害防止具。
【請求項５】
前記３本の脚部材（１４ｂ’）に、テグス（２１）を通すための通し溝（１４ｂａ’）が形成されており、
前記３本の脚部材間に、前記テグスが、前記３本の脚部材の前記通し溝を通されて張られている、
ことを特徴とする、請求項１乃至４いずれかに記載の変圧器用鳥害防止具。
【請求項６】
前記テグスの代わりに、棘付きワイヤが、前記３本の脚部材の前記通し溝を通されて該３本の脚部材間に張られていることを特徴とする、請求項５記載の変圧器用鳥害防止具。
【請求項７】
本体（１ａ）と上蓋（１ｂ）の側面との間に隙間を有する変圧器に直接取り付けるための変圧器用鳥害防止具（１０；１０’）であって、
軸部材（１３）と、
該軸部材の上端部に取り付けられた、かつ、鳥が前記変圧器に営巣することを防止するための鳥害防止部（１２）と、
円環状の軸受部材（１４ａ）および３本の板状の剛性が大きい第１乃至第３の脚部材（１４ｂ1〜１４ｂ3）を備える取付部（１４；１４’）と、
ナット（１５）とを具備し、
前記軸部材が、前記取付部の前記軸受部材を貫通しており、
前記軸部材の中央部の外周面に、前記ナットと螺合するネジ山が形成されており、
前記軸部材の前記軸受部材よりも下に、前記ナットが前記ネジ山に螺合されて取り付けられており、
前記第１乃至第３の脚部材が、前記軸受部材と前記ナットとの間に該第３乃至第１の脚部材の順で上から前記軸部材に取り付けられるとともに、円環状の第１乃至第３の取付部（３１1〜３１3）および板状の第１乃至第３の脚部（３２1〜３２3）を備え、
前記第１乃至第３の脚部の一端が、長手方向と水平方向とのなす角が該第１乃至第３の脚部の順で小さくなるように、前記第１乃至第３の取付部の外周面に固定されており、
前記第１乃至第３の脚部の他端部が、該第１乃至第３の脚部の一端から該第１の脚部、該第２の脚部および該第３の脚部の順で長くされているとともに、前記変圧器の前記隙間に下から挿入して前記上蓋の側面に引っ掛けることができるようにフック状にされており、
前記第１乃至第３の取付部の中央部に、前記軸部材を貫通させるための貫通孔が、前記変圧器用鳥害防止具を前記上蓋に取り付けたときに前記第１乃至第３の取付部の径方向が水平方向に対して傾いても該軸部材が貫通する大きさの径で形成されている、
ことを特徴とする、変圧器用鳥害防止具。
【発明の詳細な説明】
【技術分野】
【０００１】
本発明は、変圧器への鳥の営巣・飛来を防止するのに好適な変圧器用鳥害防止具に関する。
【背景技術】
【０００２】
従来、電柱などに施設してある柱上変圧器の上蓋に鳥が営巣する状況があり、営巣により停電が発生したり、巣の撤去に時間がかかったり、感電・地絡・短絡の危険があったり、営巣防止具を取り付けようとしても取り付けることができなかったりするなどの問題が発生していた。
また、営巣は停電を発生させないとしても、巣自体の落下や、飛来しての糞の落下によりお客さまの所有物を破損させてしまったり衛生環境を害したりするという面があることから、先ず飛来・営巣を防止するということが重要になっている。
【０００３】
そのため、電線や電柱の腕金に対する営巣を防止するための鳥害防止具を柱上変圧器に使用することも考えられるが、このような鳥害防止具は電線や腕金などに取り付けることを想定した構成であるため、柱上変圧器に取り付け、固定することが難しいという問題があった。
【０００４】
また、柱上変圧器に営巣した鳥による糞害やゴミによる被害がひどいために、柱上変圧器に営巣された巣を放置しておくことは難しいほか、柱上変圧器に営巣された巣を撤去しても同一場所に再度営巣されることも多く、柱上変圧器に営巣された巣を撤去する作業者は同様な撤去作業を繰り返し行わなくてはならず煩わしいという問題があった。
【０００５】
さらに、周辺住民は、柱上変圧器に営巣した鳥による糞害やゴミの散乱など被害を継続して受けるという問題があった。
【０００６】
なお、変圧器などへの営巣防止手法としては、以下に示すものがある。
（１）本出願人は、下記の特許文献１において、柱上変圧器の上部にアームを取り付け、軸を中心として鳥害防止部を回転させることにより、営巣を防止する鳥害防止装置を提案している。
（２）下記の特許文献２には、変圧器の外壁面に一体に突設され一次側ブッシングの上方に近接して配置された平面Ｕ字型の保護金具に取着して一次側ブッシングの上側を覆うようにした、柱上変圧器一次ブッシング保護金具の鳥害防止具が開示されている。
（３）下記の特許文献３には、変圧器などの機器に沿って電気絶縁体材料からなる線状体および盤状体を取り付けて鳥害を防止する鳥害防止具が開示されている。
（４）下記の特許文献４には、面状基台の上面に高電圧の差電圧を有する高電圧導体と接地導体とを備えるとともに下面に高電圧導体を備えた電撃部を接地導体となる筐体の上に空隙を設けて位置するようにした鳥類飛来防止装置が開示されている。
（５）下記の特許文献５には、所定形状に整形された複数の線状部材と、複数の線状部材が噴水状に展開するように一端を束ねて屋外構造物に取り付ける取付具とを備えた、腕金などの屋外構造物に取り付けられる鳥害防止具が開示されている。
【先行技術文献】
【特許文献】
【０００７】
【特許文献１】特開２０１２−００５３７６号公報
【特許文献２】特開２００６−３１９２７８号公報
【特許文献３】特開２００１−４５９５４号公報
【特許文献４】特開平９−１６３９１２号公報
【特許文献５】特開２００７−１６７０４３号公報
【発明の概要】
【発明が解決しようとする課題】
【０００８】
しかしながら、上記の特許文献１記載の鳥害防止装置では、以下に示すような問題がある。
（１）鳥の営巣を防止することはできるが、鳥が柱上変圧器の上蓋に飛来するのを防止することは難しい。
（２）１台の柱上変圧器に適用するには効果的であるが、複数台の変圧器が架台などに設置された受電設備に適用する場合には、変圧器の上部に取り付けるアームの角度や長さによっては変圧器から鳥害防止部までの距離が大きくなるため、効果を十分に発揮することができないおそれがある。
また、上記の特許文献２〜５記載の営巣防止手法では、柱上変圧器に適用することが難しいという問題がある。
【０００９】
本発明の目的は、柱上変圧器などの上蓋への鳥の営巣・飛来を防止することができるとともに複数台の変圧器が架台などに設置された受電設備に適用しても効果を十分に発揮することができる変圧器用鳥害防止具を提供することにある。
【課題を解決するための手段】
【００１０】
本発明の第１の変圧器用鳥害防止具は、本体（１ａ）と上蓋（１ｂ）の側面との間に隙間を有する変圧器に直接取り付けるための変圧器用鳥害防止具（１０；１０’）であって、軸部材（１３）と、該軸部材の上端部に取り付けられた、かつ、鳥が前記変圧器に営巣することを防止するための鳥害防止部（１２）と、円環状の軸受部材（１４ａ）および３本の板状の脚部材（１４ｂ；１４ｂ’）を備える取付部（１４；１４’）と、ナット（１５）とを具備し、前記軸部材が、前記取付部の前記軸受部材を貫通しており、前記軸部材の中央部の外周面に、前記ナットと螺合するネジ山が形成されており、前記軸部材の前記軸受部材よりも下に、前記ナットが前記ネジ山に螺合されて取り付けられており、前記軸受部材の外周面に、前記３本の脚部材の一端が該軸受部材の周方向に沿って等間隔に固定されており、前記３本の脚部材の他端部が、前記変圧器の前記隙間に下から挿入して前記上蓋の側面に引っ掛けることができるように、フック状にされていることを特徴とする。
ここで、前記軸部材の下端面と前記上蓋との間に挿入されるクッション板（１６）をさらに具備してもよい。
前記軸部材の長さが、前記３本の脚部材を前記上蓋の側面に引っ掛けたときに該軸部材の下端面が該３本の脚部材の下端面よりも上に位置する長さとされていてもよい。
前記軸部材の前記ネジ山が形成されている範囲が、前記上蓋の径に応じて前記ナットの固定位置を変えることにより前記変圧器用鳥害防止具を種々の変圧器に取り付けることができる範囲とされていてもよい。
前記３本の脚部材（１４ｂ’）に、テグス（２１）を通すための通し溝（１４ｂａ’）が形成されており、前記３本の脚部材間に、前記テグスが、前記３本の脚部材の前記通し溝を通されて張られていてもよい。
前記テグスの代わりに、棘付きワイヤが、前記３本の脚部材の前記通し溝を通されて該３本の脚部材間に張られていてもよい。
本発明の第２の変圧器用鳥害防止具は、本体（１ａ）と上蓋（１ｂ）の側面との間に隙間を有する変圧器に直接取り付けるための変圧器用鳥害防止具（１０；１０’）であって、軸部材（１３）と、該軸部材の上端部に取り付けられた、かつ、鳥が前記変圧器に営巣することを防止するための鳥害防止部（１２）と、円環状の軸受部材（１４ａ）および３本の板状の剛性が大きい第１乃至第３の脚部材（１４ｂ1〜１４ｂ3）を備える取付部（１４；１４’）と、ナット（１５）とを具備し、前記軸部材が、前記取付部の前記軸受部材を貫通しており、前記軸部材の中央部の外周面に、前記ナットと螺合するネジ山が形成されており、前記軸部材の前記軸受部材よりも下に、前記ナットが前記ネジ山に螺合されて取り付けられており、前記第１乃至第３の脚部材が、前記軸受部材と前記ナットとの間に該第３乃至第１の脚部材の順で上から前記軸部材に取り付けられるとともに、円環状の第１乃至第３の取付部（３１1〜３１3）および板状の第１乃至第３の脚部（３２1〜３２3）を備え、前記第１乃至第３の脚部の一端が、長手方向と水平方向とのなす角が該第１乃至第３の脚部の順で小さくなるように、前記第１乃至第３の取付部の外周面に固定されており、前記第１乃至第３の脚部の他端部が、該第１乃至第３の脚部の一端から該第１の脚部、該第２の脚部および該第３の脚部の順で長くされているとともに、前記変圧器の前記隙間に下から挿入して前記上蓋の側面に引っ掛けることができるようにフック状にされており、前記第１乃至第３の取付部の中央部に、前記軸部材を貫通させるための貫通孔が、前記変圧器用鳥害防止具を前記上蓋に取り付けたときに前記第１乃至第３の取付部の径方向が水平方向に対して傾いても該軸部材が貫通する大きさの径で形成されていることを特徴とする。
【発明の効果】
【００１１】
本発明の変圧器用鳥害防止具は、以下に示す効果を奏する。
（１）柱上変圧器の上蓋に容易にかつ確実に取り付けることができるため、上蓋への鳥の営巣・飛来を防止することができる。
（２）変圧器の上蓋に取り付けるため、複数台の変圧器が架台などに設置された受電設備に適用しても効果を十分に発揮することができる。
（３）変圧器または上蓋と一緒に取り外せるため、変圧器取替時や上蓋開放時に鳥害防止具を一旦取り外す手間を削減することができるとともに、鳥害防止具の一時取外し時の感電、短絡および落下などの危険性を低減することができる。
（４）変圧器の容量や大きさによる鳥害防止具の選定が必要なくなる。
【図面の簡単な説明】
【００１２】
【図１】本発明の一実施例による変圧器用鳥害防止具１０の構成を示す図である。
【図２】図１に示した軸部材１３のネジ山の形成範囲について説明するための図である。
【図３】図１に示した変圧器用鳥害防止具１０の使用方法について説明するための図である。
【図４】本発明の第１の変形例による変圧器用鳥害防止具１０’について説明するための図である。
【図５】本発明の第２の変形例による変圧器用鳥害防止具１０’が具備する３本の脚部材１４ｂ1〜１４ｂ3について説明するための図である。
【図６】本発明の第２の変形例による変圧器用鳥害防止具１０’を柱上変圧器に取り付けたときの図５に示した３本の脚部材１４ｂ1〜１４ｂ3の状態について説明するための図である。
【発明を実施するための形態】
【００１３】
上記の目的を、上端部に鳥害防止部が取り付けられた軸部材に３本の脚部材の一端を３本の脚部材が軸部材の軸方向に沿って移動可能なように軸受部材を介して取り付け、３本の脚部材のフック状にされた他端部を変圧器の本体と上蓋の側面との間の隙間に挿入して、軸部材の下端面と３本の脚部材とで変圧器の上蓋を挟むことにより実現した。
【実施例１】
【００１４】
以下、本発明の変圧器用鳥害防止具の実施例について図面を参照して説明する。
本発明の変圧器用鳥害防止具は、以下に示す特徴を有する。
（１）鳥害防止部と柱上変圧器の上蓋との間への営巣を防止するために、また、変圧器用鳥害防止具と柱上変圧器とを一体化して柱上変圧器の取替時や上蓋の開放時に変圧器用鳥害防止具を事前に取り外したり再度取り付けたりする必要をなくすために、変圧器用鳥害防止具は柱上変圧器の上蓋に直接取り付けることができるように構成されている。
（２）汎用化を図るために、変圧器用鳥害防止具は種々の容量や大きさの柱上変圧器に取り付けることができるように構成されている。
【００１５】
そのため、本発明の一実施例による変圧器用鳥害防止具１０は、図１に示すように、鳥が柱上変圧器に営巣することを防止するための鳥害防止部１２と、円柱状の軸部材１３と、円環状の軸受部材１４ａおよび３本の板状の脚部材１４ｂを備える取付部１４と、ナット１５と、クッション板１６とを具備する。
【００１６】
ここで、鳥害防止部１２は、円柱状の羽根取付部材が軸部材１３の上端部に取り付けられているとともに、風が吹き付けられると軸部材１３を中心として軸部材１３の周方向に沿って回転する複数枚の羽根部材が羽根取付部材の周方向に沿って一定の間隔で羽根取付部材の外周面に取り付けられているものである。
【００１７】
軸部材１３の長さは、図２（ａ），（ｂ）に示すように３本の脚部材１４ｂを柱上変圧器の上蓋１ｂの側面に引っ掛けたときに軸部材１３の下端面が３本の脚部材１４ｂの下端面よりも上方に位置する長さとされている。
軸部材１３の中央部の外周面には、ナット１５と螺合するネジ山が形成されている。
ネジ山が形成されている範囲は、図２（ａ），（ｂ）に示すように、柱状変圧器の上蓋１ｂの径に応じてナット１５の固定位置を変えることにより変圧器用鳥害防止具１０を容量や大きさが異なる種々の柱上変圧器に取り付けることができる範囲とされている。
【００１８】
取付部１４の軸受部材１４ａは、軸受部材１４ａを回すことなく軸部材１３の軸方向（すなわち、上下方向）に沿って移動させることができるように、軸部材１３を貫通させるための貫通孔が中央部に形成されている。
取付部１４の３本の脚部材１４ｂは、たとえば長さ＝３１６．５ｍｍ、幅＝１５ｍｍおよび厚さ＝５ｍｍの板状部材で構成されている。
３本の脚部材１４ｂの一端は、脚部材１４ｂの長手方向と水平方向とのなす角が１５０°となるように、かつ、軸受部材１４ａの周方向に沿って１２０°の間隔で、軸受部材１４ａの外周面に固定されている。
また、３本の脚部材１４ｂの他端部は、３本の脚部材１４ｂを柱上変圧器の本体１ａ（図２（ａ）参照）と上蓋１ｂの側面との間の隙間（たとえば、２０ｍｍの隙間）に下から挿入して上蓋１ｂの側面に引っ掛けることができるように、一端から２３０ｍｍの箇所で下に向けて１２０°、一端から２６８ｍｍの箇所で軸部材１３に向けて９０°および一端から２９３ｍｍの箇所で上に向けて９０°曲げられて、フック状にされている。
【００１９】
ナット１５は、３本の脚部材１４ｂを柱上変圧器の上蓋１ｂの側面に引っ掛けたのちに軸受部材１４ａを軸部材１３の軸方向に沿って押し上げて、クッション板１６と３本の脚部材１４ｂのフック状にされた他端部（以下、「フック部」と称する。）とで上蓋１ｂを挟むことにより、変圧器用鳥害防止具１０を柱上変圧器に取り付けるためのものである。
【００２０】
クッション板１６は、円板状の形状を有し、クッション板１６と３本の脚部材１４ｂのフック部とで柱上変圧器の上蓋１ｂを挟んで変圧器用鳥害防止具１０を柱上変圧器に取り付ける際に軸部材１３によって上蓋１ｂが傷付かないように、軸部材１３の下端面と上蓋１ｂとの間に挿入されるものである。
【００２１】
以上のように構成された変圧器用鳥害防止具１０は、変圧器の上蓋に直接取り付けることができるため、柱上変圧器に適用しても効果を十分に発揮することができるとともに、複数台の変圧器が架台などに設置された受電設備に適用しても効果を十分に発揮することができる。
また、柱上変圧器またはその上蓋１ｂと一緒に変圧器用鳥害防止具１０を取り外すことができる。
さらに、変圧器用鳥害防止具１０は、円形状の上蓋と本体との間に隙間があれば、柱上変圧器や上記の受電設備以外の機器にも適用することができる。
【００２２】
次に、変圧器用鳥害防止具１０の使用方法について、図３（ａ）〜（ｄ）を参照して説明する。
作業員は、クッション板１６を柱上変圧器の上蓋１ｂの中央部に載せ、３本の脚部材１４ｂを広げたのちに、変圧器用鳥害防止具１０を柱上変圧器の上方から下ろしていって、図３（ａ）に示すように軸部材１３の下端面をクッション板１６上に位置させるとともに３本の脚部材１４ｂのフック部を柱上変圧器の上蓋１ｂよりも下方に位置させる。
【００２３】
その後、作業員は、図３（ｂ）に示すように３本の脚部材１４ｂを狭めて３本の脚部材１４ｂのフック部を柱上変圧器の上蓋１ｂの側面の真下に位置させたのち、同図に矢印で示すようにナット１５を回して、同図に白抜き矢印で示すように軸受部材１４ａを上方に移動させる。
【００２４】
その後、作業員は、図３（ｃ）に示すように３本の脚部材１４ｂのフック部が柱上変圧器の上蓋１ｂの側面に引っ掛かると、ナット１５を回すことを止める。
これにより、柱上変圧器の上蓋１ｂがクッション板１６と３本の脚部材１４ｂのフック部とで挟まれるため、変圧器用鳥害防止具１０を柱上変圧器に取り付けることができる。
【００２５】
その後、作業員は、図３（ｄ）に矢印で示すようにナット１５を更に回して、軸受部材１４ａを上方に少しだけ移動させる。
これにより、同図に白抜き矢印で示すように軸部材１３の下端面でクッション板１６を下方に押す力と３本の脚部材１４ｂのフック部で柱上変圧器の上蓋１ｂの側面を上方に押す力とを強めることができるため、変圧器用鳥害防止具１０を柱上変圧器に強固に取り付けることができる。
【００２６】
次に、変圧器用鳥害防止具１０の第１の変形例について、図４（ａ），（ｂ）を参照して説明する。
本変形例による変圧器用鳥害防止具１０’は、鳥が柱上変圧器の上蓋１ｂに飛来することを更に防止するために、図４（ａ）に示すように３本の脚部材１４ｂ’の間に３本のテグス２１が軸部材１３の軸方向に沿って所定の間隔をもって張られている点で、図１に示した変圧器用鳥害防止具１０と異なる。
【００２７】
そのため、３本の脚部材１４ｂ’の一端からフック部までの上面には、図４（ｂ）に示すように、テグス２１を通すためのテグス通し溝１４ｂａ’が形成されている。
ここで、テグス通し溝１４ｂａ’の寸法は、たとえば、開口面の長さ（脚部材１４ｂ’の長手方向に沿った長さ）＝５ｍｍ、深さ＝３ｍｍおよび底面の長さ（脚部材１４ｂ’の長手方向に沿った長さ）＝１５ｍｍである。
【００２８】
なお、鳥が柱上変圧器の上蓋１ｂに飛来することをより防止するために、テグス２１の代わりに、棘付きワイヤを３本の脚部材１４ｂ’の間に張ってもよい。
【００２９】
次に、変圧器用鳥害防止具１０の第２の変形例について、図５（ａ）〜（ｃ）および図６を参照して説明する。
本変形例による変圧器用鳥害防止具は、図１に示した３本の脚部材１４ｂの代わりに、剛性が大きい第１乃至第３の脚部材１４ｂ1〜１４ｂ3を使用する点で、図１に示した変圧器用鳥害防止具１０と異なる。
【００３０】
ここで、第１乃至第３の脚部材１４ｂ1〜１４ｂ3は、第３乃至第１の脚部材１４ｂ3〜１４ｂ1の順番で上から軸部材１３に取り付けられる。
そのため、第１乃至第３の脚部材１４ｂ1〜１４ｂ3の上端から柱上変圧器の上蓋１ｂの側面の底面までの距離が第１乃至第３の脚部材１４ｂ1〜１４ｂ3によって異なってくるため、第１乃至第３の脚部材１４ｂ1〜１４ｂ3は以下に示すように構成されている。
【００３１】
第１の脚部材１４ｂ1は、図５（ａ）に示すように、外周面の中央部が尖った円環状の第１の取付部３１1と、板状の第１の脚部３２1とを備える。
第１の脚部３２1の一端は、その長手方向と水平方向とのなす角が１５１°となるように第１の取付部３１1の外周面に固定されている。
第１の脚部３２1の他端部は、一端から２２５ｍｍの箇所で下に向けて１１９°、一端から２６３ｍｍの箇所で軸部材１３に向けて９０°および一端から２８８ｍｍの箇所で上に向けて９０°曲げられて、フック状にされている。
【００３２】
第２の脚部材１４ｂ2は、図５（ｂ）に示すように、外周面の中央部が尖った円環状の第２の取付部３１2と、板状の第２の脚部３２2とを備える。
第２の脚部３２2の一端は、その長手方向と水平方向とのなす角が１５０°となるように第２の取付部３１2の外周面に固定されている。
第２の脚部３２2の他端部は、一端から２３０ｍｍの箇所で下に向けて１２０°、一端から２６８ｍｍの箇所で軸部材１３に向けて９０°および一端から２９３ｍｍの箇所で上に向けて９０°曲げられて、フック状にされている。
【００３３】
第３の脚部材１４ｂ3は、図５（ｃ）に示すように、外周面の中央部が尖った円環状の第３の取付部３１3と、板状の第３の脚部３２3とを備える。
第３の脚部３２3の一端は、その長手方向と水平方向とのなす角が１４８°となるように第３の取付部３１3の外周面に固定されている。
第３の脚部３２3の他端部は、一端から２３４．５ｍｍの箇所で下に向けて１２２°、一端から２７２．５ｍｍの箇所で軸部材１３に向けて９０°および一端から２９７．５ｍｍの箇所で上に向けて９０°曲げられて、フック状にされている。
【００３４】
第１乃至第３の第１の取付部３１1〜３１3の中央部には、軸部材１３を貫通させるための貫通孔が同じ径で形成されている。
ここで、第１乃至第３の脚部材１４ｂ1〜１４ｂ3の剛性が大きいため、第１乃至第３の脚部材１４ｂ1〜１４ｂ3を柱上変圧器の上蓋１ｂの側面に引っ掛けたときの第１乃至第３の脚部材１４ｂ1〜１４ｂ3のフック部の状態は、図６に第２の脚部材１４ｂ2について示すように、取り付ける上蓋１ｂの大きさによって異なってくる。たとえば、同図に実線で示すように第１乃至第３の脚部材１４ｂ1〜１４ｂ3を２０ｋＶＡの柱上変圧器の上蓋１ｂの側面に引っ掛けたときには、第１乃至第３の取付部３１1〜３１3の径方向は水平方向となるため、第１の取付部３１1の上面と第２の取付部３１2の底面とが密着するとともに第２の取付部３１2の上面と第３の取付部３１3の底面とが密着した状態となる。一方、同図に破線で示すように第１乃至第３の脚部材１４ｂ1〜１４ｂ3を２０ｋＶＡの柱上変圧器の上蓋１ｂよりも径が小さい５ｋＶＡの柱上変圧器の上蓋１ｂの側面に引っ掛けたときや、同図に一点鎖線で示すように第１乃至第３の脚部材１４ｂ1〜１４ｂ3を２０ｋＶＡの柱上変圧器の上蓋１ｂよりも径が大きい５０ｋＶＡの柱上変圧器の上蓋１ｂの側面に引っ掛けたときには、第１乃至第３の取付部３１1〜３１3の径方向は水平方向に対して傾くため、第１の取付部３１1の上面の一部と第２の取付部３１2の底面の一部とが密着するとともに第２の取付部３１2の上面の一部と第３の取付部３１3の底面の一部とが密着した状態となる。
したがって、第１乃至第３の取付部３１1〜３１3の径方向は水平方向に対して傾いても軸部材１３が貫通するように、第１乃至第３の第１の取付部３１1〜３１3の貫通孔の径は軸部材１３の径よりも大きくされている。
【００３５】
なお、鳥害防止部としては、図１に示した鳥害防止部１２の代わりに、たとえば複数枚の羽根板で風車を形成して柱上変圧器の上蓋１ｂの上面と垂直方向に複数枚の羽根板を回転させる鳥害防止部のように、軸部材１３の上端部に取付可能なものであればよい。
また、鳥害防止部１２の代わりに、たとえば柱上変圧器の名前や印の旗のようなものを軸部材１３の上端部に取り付けてもよい。
【００３６】
以上の説明では、図１に示したように軸部材１３の中央部の外周面にのみネジ山を形成したが、軸部材１３の下端部の外周面にもネジ山を形成して、軸部材１３の下端部の外周面に形成したネジ山を利用して軸部材１３にクッション板１６を取り付けることができるようにしてもよい。
この場合には、クッション板１６の上面の中央部に設けた凸部の上面の中央部に軸部材１３のネジ山と螺合するネジ穴を形成するか、クッション板１６の上面の中央部に軸部材１３のネジ山と螺合するネジ穴を形成する。
これにより、作業員は、クッション板１６のネジ穴を軸部材１３の下端部のネジ山に螺合させ、３本の脚部材１４ｂを広げたのちに、変圧器用鳥害防止具１０を柱上変圧器の上方から下ろしていって、図３（ａ）に示すように、クッション板１６を柱上変圧器の上蓋１ｂの中央部に載せるとともに、３本の脚部材１４ｂのフック部を柱上変圧器の上蓋１ｂよりも下方に位置させるようにすれば、同様にして変圧器用鳥害防止具１０を柱上変圧器の上蓋１ｂに取り付けることができる。
【００３７】
また、図４（ｂ）に示したように３本の脚部材１４ｂ’の一端からフック部までの上面にテグス通し溝１４ｂａ’のみを形成したが、隣接するテグス通し溝１４ｂａ’の中間部および最下方のテグス通し溝１４ｂａ’と脚部材１４ｂ’のフック部との中間部にφ０．７５ｍｍの貫通孔を形成して、この貫通孔にテグス２１を結び付けたり（終端処理したり）、テグス２１やゴム紐などの先端に取り付けたかつＳ字型のフック形状をした引っ掛け部などをこの貫通孔に掛けるようにしてもよい。
これにより、間接活線作業（ホットステッィク使用）時などでも、テグス２１などの端末（Ｓ字フックなど）をこの貫通孔に引っ掛けることで容易にテグス２１などの端末を固定することができる。また、テグス通し溝とこの貫通孔とを併用することもできる。
【符号の説明】
【００３８】
１ａ  本体
１ｂ  上蓋
１０，１０’  変圧器用鳥害防止具
１２  鳥害防止部
１３  軸部材
１４  取付部
１４ａ  軸受部材
１４ｂ，１４ｂ’  脚部材
１４ｂ1〜１４ｂ3  第１乃至第３の脚部材
１４ｂａ’  テグス通し溝
１５  ナット
１６  クッション板
２１  テグス
３１1〜３１3  第１乃至第３の取付部
３２1〜３２3  第１乃至第３の脚部
【要約】
【課題】柱上変圧器の上蓋への鳥の営巣・飛来を防止できるとともに受電設備に適用しても効果を十分に発揮できる変圧器用鳥害防止具を提供する。
【解決手段】本体１ａと上蓋１ｂの側面との間に隙間を有する柱上変圧器に直接取り付けるための変圧器用鳥害防止具１０であって、鳥が柱上変圧器に営巣することを防止するための鳥害防止部１２が軸部材１３の上端部に取り付けられている。３本の脚部材１４ｂの一端は軸受部材１４ａの外周面にその周方向に沿って等間隔に固定されており、他端部は柱上変圧器の上蓋１ｂの側面に引っ掛けることができるようにフック状にされている。軸部材１３は軸受部材１４ａを貫通しており、軸部材１３の中央部の外周面には、軸受部材１４ａよりも下に取り付けられるナット１５と螺合するネジ山が形成されている。
【選択図】図１【図１】
0005442835.tif 000002
【図２】
0005442835.tif 000003
【図３】
0005442835.tif 000004
【図４】
0005442835.tif 000005
【図５】
0005442835.tif 000006
【図６】
0005442835.tif 000007